(57)【要約】      （修正有）【課題】終端階付近に設置するリミットスイッチの数を低減し、もってメンテナンス作業に費やす労力を軽減し、コストダウンを図ること。【解決手段】正常動作区間情報出力手段１６は、リミットスイッチＬＳ1〜ＬＳ4からの乗りかご検出信号、かご位置検出手段１５からのかご位置信号を入力し、正常動作区間情報を出力する。異常判別手段１７は、かご速度検出手段１４、かご位置検出手段１５、正常動作区間情報出力手段１６、及びリミットスイッチＬＳ1〜ＬＳ4からの各信号の入力と、予め設定された速度閾値Ｖａ，Ｖｂ，Ｖｃ等に基づき、「スイッチ異常」又は「速度異常」の有無を判別する。速度制御手段１８は、この判別結果に基づき巻上機２に制御信号を出力し、乗りかごの終端階での速度を制御する。【選択図】図２
2008007322.tif 000002
【特許請求の範囲】
【請求項１】
乗りかごに取り付けられた接触板と、
昇降路内の終端階着床位置よりも手前の終端階減速領域に配設され、乗りかご接近時における前記接触板との接触により、乗りかごが終端階減速領域内に位置することを示す乗りかご検出信号を出力する乗りかご検出スイッチと、
前記乗りかごの走行速度を検出するかご速度検出手段と、
前記前記乗りかごの位置を検出するかご位置検出手段と、
前記乗りかご検出スイッチの動作タイミングが正常とされる区間についての情報を出力する正常動作区間情報出力手段と、
前記乗りかご検出スイッチからの検出信号、前記かご速度検出手段からの検出速度、前記かご位置検出手段からの検出位置、及び前記正常動作区間情報出力手段からの正常動作区間情報を入力し、前記乗りかご検出スイッチが正常動作区間外で動作した場合にスイッチ異常と判別すると共に、前記検出速度が所定レベル以上である場合に速度異常と判別する異常判別手段と、
前記異常判別手段の判別結果に基づき前記乗りかごの終端階での速度を制御する速度制御手段と、
を備えたことを特徴とするエレベータの終端階減速制御システム。
【請求項２】
前記乗りかご検出スイッチは、前記終端階着床位置に近い側の第１の乗りかご検出スイッチと、前記第１の乗りかご検出スイッチよりも所定距離だけ前記終端階着床位置から離間する側に配設された第２の乗りかご検出スイッチとで構成され、
前記正常動作区間情報出力手段は、前記第２の乗りかご検出スイッチの乗りかご検出信号を入力した第１の時点から前記所定距離を上回る距離だけ乗りかごが移動した第２の時点までこの乗りかご検出信号をラッチして出力し、この第２の時点を終点として所定距離だけ第１の時点側に遡及した区間を正常動作区間とする情報を前記速度制御手段に出力するものであり、
前記異常判別手段は、前記正常動作区間内に前記第１の乗りかご検出スイッチからの乗りかご検出信号を入力しない場合に前記スイッチ異常と判別するものである、
ことを特徴とする請求項１記載のエレベータの終端階減速制御システム。
【請求項３】
前記速度制御手段は、前記異常判別手段が前記第１の時点における乗りかごの走行速度を速度異常と判別した場合は減速制御を行い、前記異常判別手段が前記第１の乗りかご検出スイッチの正常動作を判別した後に速度異常と判別した場合は前記乗りかごを停止させる、
ことを特徴とする請求項２記載のエレベータの終端階減速制御システム。
【請求項４】
前記速度制御手段は、前記異常判別手段がスイッチ異常と判別した場合に、スイッチ異常の累積判別回数が所定回数に達したか否かを判別し、達した場合にはスイッチ異常モードでの速度制御を行う、
ことを特徴とする請求項１記載のエレベータの終端階減速制御システム。
【請求項５】
前記速度制御手段は、前記スイッチ異常の累積判別回数が所定回数に達していない場合に、乗りかご内に乗客が存在しないことを条件に、前記乗りかご検出スイッチが正常に動作するか否かを点検するための点検運転を行い、この点検運転の結果乗りかご検出スイッチに異常が認められないときは通常運転を再開する、
ことを特徴とする請求項４記載のエレベータの終端階減速制御システム。
【請求項６】
前記接触板の長手方向の長さは、乗りかご移動中に前記第１及び第２の乗りかご検出スイッチの双方と同時に接触する区間を持つことが可能な長さである、
ことを特徴とする請求項２記載のエレベータの終端階減速制御システム。
【請求項７】
前記接触板の長手方向の長さは、乗りかご移動中に前記第１及び第２の乗りかご検出スイッチの双方と同時に接触する区間を持つことのない長さである、
ことを特徴とする請求項２記載のエレベータの終端階減速制御システム。
【請求項８】
前記スイッチ異常モードでの速度制御は、速度レベルを通常運転モードよりも所定レベルだけ低下させるものである、
ことを特徴とする請求項４記載のエレベータの終端階減速制御システム。
【発明の詳細な説明】
【技術分野】
【０００１】
本発明は、エレベータの終端階減速制御システムに関するものである。
【背景技術】
【０００２】
エレベータの乗りかごが出発階から目的階まで走行する場合、目的階付近に設定されている減速開始位置通過後から次第に減速し、その後の着床制御により目的階の着床位置に着床するようになっている。これは、目的階が終端階（最上階又は最下階）である場合、万一何らかの異常により減速区間で充分な減速が行われずに、乗りかごが昇降路の最上部又は最下部に激突してしまうことを避けるためである。
【０００３】
このような事態を回避するため、通常のエレベータシステムでは、減速開始位置から着床位置までの減速区間において乗りかごの過速度を検出した場合には、乗りかごを減速・停止させる終端階減速制御が行われている（例えば、特許文献１参照）。
【０００４】
特許文献１に開示された従来のエレベータシステムでは、乗りかごに取り付けた接触板（「着検板」又は「弓」と呼ばれることがある）を、終端階付近に設置された複数のリミットスイッチに順次接触させていくことにより乗りかごの現在位置を検出し、その時のかご速度がリミットスイッチの取付位置毎に設定された過速度閾値を超えた場合に終端階減速制御を行うようにしている。
【０００５】
ところで、上記のリミットスイッチは乗りかご位置検出手段として機能するものであり、接触板と頻繁に接触することから比較的故障し易い機器であると言える。そして、エレベータシステムの円滑且つ安全な運行を確保するためには、リミットスイッチの故障発生を検出した場合には、速やかにこれを修理又は交換するなど適切なメンテナンス作業を行わなければならない。
【０００６】
そして、従来システムでは、リミットスイッチの故障発生の検出を、乗りかごが終端階付近を移動する際に複数のリミットスイッチが順番通りオン信号を出力するか否かをチェックすることにより行っていた。
【特許文献１】特開２００３−９５５５５号公報
【発明の開示】
【発明が解決しようとする課題】
【０００７】
しかし、上記の特許文献１に係る従来システムでは、多数のリミットスイッチを用いているために、リミットスイッチの故障発生に伴うメンテナンス作業に多くの労力を費やすばかりか、コストダウンを阻害する結果となっている。メンテナンス作業に費やす労力の軽減、及びコストダウンを可能にするためにはリミットスイッチの数を低減することが考えられるが、単にリミットスイッチの数を低減するだけでは、制御に必要な乗りかご位置情報を充分に得ることができない。また、リミットスイッチの故障発生の検出についても、従来システムのようなオン信号の出力の順番をチェックする手法では充分な信頼性を確保するのは困難である。
【０００８】
本発明は上記事情に鑑みてなされたものであり、終端階付近に設置するリミットスイッチの数を低減し、もってメンテナンス作業に費やす労力を軽減し、コストダウンを図ることが可能なエレベータの終端階減速制御システムを提供することを目的としている。
【課題を解決するための手段】
【０００９】
上記課題を解決するための手段として、請求項１記載の発明は、乗りかごに取り付けられた接触板と、昇降路内の終端階着床位置よりも手前の終端階減速領域に配設され、乗りかご接近時における接触板との接触により、乗りかごが終端階減速領域内に位置することを示す乗りかご検出信号を出力する乗りかご検出スイッチと、乗りかごの走行速度を検出するかご速度検出手段と、前記乗りかごの位置を検出するかご位置検出手段と、乗りかご検出スイッチの動作タイミングが正常とされる区間についての情報を出力する正常動作区間情報出力手段と、乗りかご検出スイッチからの検出信号、かご速度検出手段からの検出速度、かご位置検出手段からの検出位置、及び正常動作区間情報出力手段からの正常動作区間情報を入力し、乗りかご検出スイッチが正常動作区間外で動作した場合にスイッチ異常と判別すると共に、検出速度が所定レベル以上である場合に速度異常と判別する異常判別手段と、異常判別手段の判別結果に基づき乗りかごの終端階での速度を制御する速度制御手段と、を備えたことを特徴とする。
【００１０】
請求項２記載の発明は、請求項１記載の発明において、乗りかご検出スイッチは、終端階着床位置に近い側の第１の乗りかご検出スイッチと、第１の乗りかご検出スイッチよりも所定距離だけ終端階着床位置から離間する側に配設された第２の乗りかご検出スイッチとで構成され、正常動作区間情報出力手段は、第２の乗りかご検出スイッチの乗りかご検出信号を入力した第１の時点から所定距離を上回る距離だけ乗りかごが移動した第２の時点までこの乗りかご検出信号をラッチして出力し、この第２の時点を終点として所定距離だけ第１の時点側に遡及した区間を正常動作区間とする情報を前記速度制御手段に出力するものであり、異常判別手段は、正常動作区間内に第１の乗りかご検出スイッチからの乗りかご検出信号を入力しない場合にスイッチ異常と判別するものである、ことを特徴とする。
【００１１】
請求項３記載の発明は、請求項２記載の発明において、速度制御手段は、異常判別手段が第１の時点における乗りかごの走行速度を速度異常と判別した場合は減速制御を行い、異常判別手段が第１の乗りかご検出スイッチの正常動作を判別した後に速度異常と判別した場合は乗りかごを停止させる、ことを特徴とする。
【００１２】
請求項４記載の発明は、請求項１記載の発明において、速度制御手段は、異常判別手段がスイッチ異常と判別した場合に、スイッチ異常の累積判別回数が所定回数に達したか否かを判別し、達した場合にはスイッチ異常モードでの速度制御を行う、ことを特徴とする。
【００１３】
請求項５記載の発明は、請求項４記載の発明において、速度制御手段は、スイッチ異常の累積判別回数が所定回数に達していない場合に、乗りかご内に乗客が存在しないことを条件に、乗りかご検出スイッチが正常に動作するか否かを点検するための点検運転を行い、この点検運転の結果乗りかご検出スイッチに異常が認められないときは通常運転を再開する、ことを特徴とする。
【００１４】
請求項６記載の発明は、請求項２記載の発明において、記接触板の長手方向の長さは、乗りかご移動中に第１及び第２の乗りかご検出スイッチの双方と同時に接触する区間を持つことが可能な長さである、ことを特徴とする。
【００１５】
請求項７記載の発明は、請求項２記載の発明において、接触板の長手方向の長さは、乗りかご移動中に第１及び第２の乗りかご検出スイッチの双方と同時に接触する区間を持つことのない長さである、ことを特徴とする。
【００１６】
請求項８記載の発明は、請求項4記載の発明において、スイッチ異常モードでの速度制御は、速度レベルを通常運転モードよりも所定レベルだけ低下させるものである、ことを特徴とする。
【発明の効果】
【００１７】
本発明によれば、終端階付近に設置するリミットスイッチの数を低減することができ、その結果、メンテナンス作業に費やす労力を軽減し、コストダウンを図ることができる。
【発明を実施するための最良の形態】
【００１８】
図１は、本発明の実施形態に係るエレベータの終端階減速制御システムの構成図である。昇降路１内の上部に巻上機２が設置され、この巻上機２にメインロープ３が巻回されている。メインロープ３の一端側は乗りかご４に取り付けられ、他端側はカウンタウェイト５に取り付けられている。また、巻上機２付近には、ガバナロープ７が巻回されたガバナ６が設置されている。ガバナロープ７の一端側は乗りかご４の上部に取り付けられ、ガバナロープ７の他端側はガバナ６及びガバナシーブ８を経由して乗りかご４の下部に取り付けられている。
【００１９】
巻上機２及びガバナ６には、それぞれ速度計９，１０が設けられており、これらの検出信号がエレベータ制御装置１１に出力されるようになっている。エレベータ制御装置１１は、これらの検出信号の入力に基づき巻上機２を速度制御するようになっている。なお、２つの速度計が設けられているのは、一方が故障しても他方を用いることにより運転継続を可能にして信頼性を高めるためである。
【００２０】
乗りかご４の側方には、長手方向の長さが乗りかご４の全長よりも長い接触板１２が取り付けられている。これに対し、昇降路１の終端階の側壁１３には、接触板１２に接触するアクチュエータ部ＬＳ1a〜ＬＳ4aを有するリミットスイッチＬＳ1〜ＬＳ4が配設されている。リミットスイッチＬＳ1〜ＬＳ4は、アクチュエータ部ＬＳ1a〜ＬＳ4aが接触板１２と接触したときに、エレベータ制御装置１１に対して乗りかご検出信号を出力するようになっている。
【００２１】
リミットスイッチＬＳ1，ＬＳ2は、一方の終端階である最上階の終端階減速領域（着床位置よりも手前側）に配設されており、着床位置（図示せず）に近い側に配設されたリミットスイッチＬＳ1が第１の乗りかご検出スイッチとして機能し、このリミットスイッチＬＳ1よりも所定距離だけ着床位置から離間する側に配設されたリミットスイッチＬＳ2が第２の乗りかご検出スイッチとして機能する。同様に、リミットスイッチＬＳ3，ＬＳ4は、他方の終端階である最下階の終端階減速領域（着床位置よりも手前側）に配設されており、着床位置（図示せず）に近い側に配設されたリミットスイッチＬＳ4が第１の乗りかご検出スイッチとして機能し、このリミットスイッチＬＳ4よりも所定距離だけ着床位置から離間する側に配設されたリミットスイッチＬＳ3が第２の乗りかご検出スイッチとして機能する。
【００２２】
図２は、図１におけるエレベータ制御装置１１の構成を示すブロック図である。この図に示すように、エレベータ制御装置１１は、かご速度検出手段１４、かご位置検出手段１５、正常動作区間情報出力手段１６（ラッチ回路等により構成される）、異常判別手段１７、及び速度制御手段１８を含んで構成されている。
【００２３】
かご速度検出手段１４は、速度計９，１０からの検出信号の入力に基づき乗りかご４の走行速度を演算し、これを検出速度信号として出力するようになっている。そして、かご位置検出手段１５は、このかご速度検出手段１４からの検出速度を積分することにより乗りかご４の位置を演算し、これを検出位置信号として出力するようになっている。
【００２４】
正常動作区間情報出力手段１６は、リミットスイッチＬＳ1〜ＬＳ4からの乗りかご検出信号、かご位置検出手段１５からのかご位置信号を入力し、正常動作区間情報を出力するようになっている。
【００２５】
異常判別手段１７は、かご速度検出手段１４、かご位置検出手段１５、正常動作区間情報出力手段１６、及びリミットスイッチＬＳ1〜ＬＳ4からの各信号の入力と、予め設定された速度閾値Ｖａ，Ｖｂ，Ｖｃ等に基づき、「スイッチ異常」又は「速度異常」の有無を判別するようになっている。速度制御手段１８は、この異常判別手段１７の判別結果に基づき巻上機２に制御信号を出力し、乗りかご４の終端階での速度を制御するようになっている。
【００２６】
図３は、最上階の減速領域における接触板１２とリミットスイッチＬＳ1，ＬＳ2との接触・非接触状態を示す説明図である。まず図３（ａ）に示すように、乗りかご４が下方から上昇してくると、リミットスイッチＬＳ2のアクチュエータ部ＬＳ1aのみが接触板１２と接触した状態となる。次いで図３（ｂ）に示すように、リミットスイッチＬＳ1，ＬＳ2の双方のアクチュエータ部ＬＳ1a，ＬＳ2aが共に接触板１２に接触した状態となる。その後、図３（ｃ）に示すように、アクチュエータ部ＬＳ2aが接触板１２から離れ、リミットスイッチＬＳ2のアクチュエータ部ＬＳ2aのみが接触板１２に接触した状態となる。
【００２７】
図４は、リミットスイッチＬＳ1，ＬＳ2が出力するＬＳ1，ＬＳ2検出信号、及び正常動作区間情報出力手段１６が出力するＬＳ1，ＬＳ2ラッチ信号の各オン・オフ変化を示すタイムチャートである。この図において、時刻ｔ１〜ｔ４の間はアクチュエータ部ＬＳ2aが接触板１２に接触するのでＬＳ2検出信号はオンになり、時刻ｔ１から乗りかご４が所定距離（ＬＳ1〜ＬＳ2間の距離）だけ移動した時点である時刻ｔ２になると、アクチュエータ部ＬＳ1aも接触板１２に接触するのでＬＳ1検出信号もオンになる。
【００２８】
正常動作区間情報出力手段１６は、時刻ｔ１にＬＳ2検出信号を入力すると、この時刻ｔ１（第１の時点）から乗りかご４が上記の所定距離をやや上回るだけの距離を移動した時点である時刻ｔ３（第２の時点）までの間だけＬＳ2ラッチ信号を出力する。そして本実施形態では、この第２の時点を終点として所定距離だけ第１の時点側に遡及した区間Ｔ１をリミットスイッチＬＳ1の正常動作区間とし、この正常動作区間内でＬＳ1検出信号がオンにならない場合はスイッチ異常として扱うようにしている。図４の例では、ＬＳ1検出信号の立ち上がり時点である時刻ｔ２は、区間Ｔ１内に含まれているのでスイッチは正常である。
【００２９】
また、正常動作区間情報出力手段１６は、時刻ｔ２にＬＳ1検出信号を入力すると、この時刻ｔ２からＬＳ2検出信号がオフとなるはずの時点である時刻ｔ４をやや過ぎた時刻ｔ５までの間だけＬＳ1ラッチ信号を出力する。そして本実施形態では、時刻ｔ５から時刻ｔ４側に向かって遡及した区間Ｔ２をリミットスイッチＬＳ2の正常動作区間とし、この正常動作区間内でＬＳ2検出信号がオフにならない場合はスイッチ異常として扱うようにしている。図４の例では、ＬＳ2検出信号の立ち下がり時点である時刻ｔ４は、区間Ｔ２内に含まれているのでスイッチは正常である。
【００３０】
このように、図４の例では、ＬＳ1検出信号がオンに立ち上がると予測される時刻ｔ２をやや過ぎた時刻ｔ３でＬＳ2ラッチ信号がオフとなり、この時刻ｔ３からＴ１だけ遡及した区間がリミットスイッチＬＳ1の正常動作（オン動作）区間となっている。また、ＬＳ2検出信号がオフに立ち下がると予測される時刻ｔ４をやや過ぎた時刻ｔ５でＬＳ1ラッチ信号がオフとなり、この時刻ｔ５からＴ２だけ遡及した区間がリミットスイッチＬＳ2の正常動作（オフ動作）区間となっている。正常動作区間情報出力手段１６は、これらリミットスイッチＬＳ1，ＬＳ2の正常動作区間についての情報をＬＳ1ラッチ信号及びＬＳ2ラッチ信号と共に異常判別手段１７に出力している。
【００３１】
なお、正常動作区間Ｔ１，Ｔ２は、ＬＳ2ラッチ信号及びＬＳ1ラッチ信号の立ち下がり時点を基準として遡及する方向に設定されているが、これは立ち下がり時点でＬＳ1検出信号及びＬＳ2検出信号の各オン信号が入力されていなければ直ちにスイッチ異常と判別できるようにするためである。したがって、立ち下がり時点をやや短めにし、所定時間（所定距離）が経過するまでの範囲を正常動作区間と設定することも可能である。
【００３２】
次に、上記のように構成される本実施形態の動作を図５のフローチャートを参照しつつ説明する。なお、以下の例は、乗りかご４が最上階へ向かって上昇する場合（リミットスイッチＬＳ1，ＬＳ2が動作する場合）につき説明したものであり、乗りかご４が最下階へ向かって下降する場合（リミットスイッチＬＳ3，ＬＳ4が動作する場合）については同様の動作となるため説明を省略する。
【００３３】
いま、速度制御手段１８が巻上機２に制御信号を出力し、乗りかご４が上昇するように走行制御している（ステップ１）。このとき、異常判別手段１７及び正常動作区間情報出力手段１６は、ＬＳ2検出信号がオンとなっているか否かを判別している（ステップ２）。そして、時刻ｔ１にアクチュエータ部ＬＳ2aが接触板１２と接触して（図３（ａ）の状態）ＬＳ2検出信号がオンになると、異常判別手段１７はかご速度検出手段１４からの検出速度Ｖが閾値Ｖaよりも小さいか否かを判別する（ステップ３）。この判別結果は「ＹＥＳ」となるので、速度制御手段１８はそのまま走行制御を継続する（ステップ４）。
【００３４】
時刻ｔ２にアクチュエータ部ＬＳ1aも接触板１２と接触して（図３（ｂ）の状態）ＬＳ1検出信号がオンになると、異常判別手段１７はこの時刻ｔ２が正常動作区間Ｔ１に入っているか否かを判別する（ステップ５）。この判別結果は「ＹＥＳ」となるので、異常判別手段１７は、次に、検出速度Ｖが閾値Ｖbよりも小さいか否かを判別する（ステップ６）。この判別結果も「ＹＥＳ」となるので、速度制御手段１８はそのまま走行制御を継続する（ステップ７）。
【００３５】
時刻ｔ４にアクチュエータ部ＬＳ2aが接触板１２から離れて（図３（ｃ）の状態）ＬＳ2検出信号がオフになると、異常判別手段１７はこの時刻ｔ４が正常動作区間Ｔ２に入っているか否かを判別する（ステップ８）。この判別結果は「ＹＥＳ」となるので、異常判別手段１７は、次に、検出速度Ｖが閾値Vcよりも小さいか否かを判別する（ステッ９）。この判別結果も「ＹＥＳ」となるので、速度制御手段１８はそのまま走行制御を継続し（ステップ１０）、その後に着床制御を行って（ステップ１１）、終端階減速制御を終了する。
【００３６】
上記の過程において、ステップ３での判別結果が「ＮＯ」の場合、つまり検出速度Ｖが閾値Ｖa以上となった場合、異常判別手段１７は速度異常と判別する。速度制御手段１８は、この判別結果を受けて減速制御を行い（ステップ１２）、かご速度を所定レベルまで低下させ、その後に着床制御を行う（ステップ１１）。
【００３７】
一方、ステップ６，９での判別結果が「ＮＯ」の場合、つまり検出速度Ｖが閾値Ｖb，Vc以上となった場合も、異常判別手段１７は同様に速度異常と判別する。しかし、この場合、速度制御手段１８はステップ１２のような減速制御を行うのではなく、直ちに運転を停止する（ステップ１４，１６）。これは、ステップ６，９での判別時点では乗りかご４が最上階の天井部に非常に接近しているため、ステップ３での判別時点よりも危険の度合いが大きなためである。そして、この後エレベータの管理者又は保守係員の点検により安全が確認された後に乗りかご４は運転が再開されることになる。
【００３８】
また、ステップ５，８での判別結果が「ＮＯ」の場合、つまり正常動作区間Ｔ１内にＬＳ1検出信号がオンにならない場合や正常動作区間Ｔ２内にＬＳ2検出信号がオフにならない場合、異常判別手段１７はスイッチ異常と判別する。速度制御手段１８は、この判別結果を受けてスイッチ異常モードで運転を行い（ステップ１３，１５）、その後に着床制御を行なって（ステップ１１）乗りかご４内の乗客を最上階に降ろすようにする。このスイッチ異常モードでの運転とは、通常運転よりも設定レベルだけ速度を低下させて乗りかご４を走行制御するものである。このように、スイッチ異常と判別しても運転を継続するのは、リミットスイッチＬＳ1，ＬＳ2が異常になったとしても直ちにエレベータ運転に支障をきたすわけではないからである。
【００３９】
図６は、上記のスイッチ異常モードでの運転が行われた後の速度制御手段１８及び異常判別手段１７の処理内容を示すフローチャートである。速度制御手段１８は、まず、自己のメモリを参照し、異常判別手段１７がスイッチ異常と判別した累積回数が予め設定されている設定回数以上であるか否かを判別する（ステップ１１１）。設定回数に達していない場合、速度制御手段１８はスイッチ点検のための運転を実施する（ステップ１１４）。すなわち、速度制御手段１８は乗りかご４を最上階から最下階へ向けて一定速度で移動させ、異常判別手段１７はその時のＬＳ1，ＬＳ2検出信号及びＬＳ1，ＬＳ2ラッチ信号のオンオフ変化に異常がないか否かにつき判別する（ステップ１１３）。なお、点検運転は、荷重検出等により乗りかご４内に乗客が存在しないことが確認されない限り実施されないようになっており、また、点検運転実施中は各階床での乗場呼びは無効とされるようになっている。
【００４０】
点検運転の結果、異常判別手段１７が異常なしと判別した場合、速度制御手段１８は自己のメモリにセットされていたスイッチ異常の判別回数をリセットした後、通常運転を再開する。
【００４１】
一方、ステップ１１１での判別結果が「ＮＯ」の場合、つまり、異常判別手段１７がスイッチ異常と判別した累積回数が設定回数以上となった場合、速度制御手段１８は、通常運転よりも低速で運転を継続すると共に、スイッチ異常が発生していることをエレベータ制御装置１１内の表示部（図示せず）に表示したり、監視センター等に報知する（ステップ１１５）。監視センター等では、この報知に基づき保守係員を現場に派遣してスイッチ異常を修復させるようにする。
【００４２】
また、ステップ１１３での判別結果が「ＮＯ」の場合、つまり、異常判別手段１７がスイッチ異常と判別した累積回数は設定回数に達していないけれども、点検運転の結果異常有りと判別した場合も、速度制御手段１８は同様に低速で運転を継続し、スイッチ異常を報知するようにする。
【００４３】
以上のように、上記実施形態では、最上階及び最下階の減速領域に設けるリミットスイッチの数を各２個ずつに低減しているので、メンテナンス作業に費やす労力が軽減されると共にコストダウンを図ることも可能になっている。また、スイッチ異常が発生した場合に、発生した回数が設定回数以上であれば低速で運転を継続し、一方、設定回数に達していなければ点検運転を実施し、異常が認められれば通常運転を再開するようにしているので、安全を確保しつつ利用者に対するサービスの低下を極力抑制することができる。
【００４４】
更に、速度異常が発生した場合にも、直ちに運転停止するのではなく、異常判別のタイミングによっては減速制御も行うようにしているので、やはり安全を確保しつつ利用者に対するサービスの低下を極力抑制することが可能になっている。
【００４５】
図７は、本発明の他の実施形態の要部構成を示す説明図である。上述した実施形態における接触板１２は、図１又は図３に示したように、長手方向の長さが乗りかご４よりも長く、乗りかご４の上昇中にリミットスイッチＬＳ1，ＬＳ2の双方と同時に接触する区間（図４の時刻ｔ２〜ｔ４の区間）を持つことが可能なものであった。これに対し、この実施形態では接触板１２を、長手方向の長さが短い２つの接触板１２Ａ，１２Ｂに分割している。したがって、この実施形態では、接触板１２Ａ又は接触板１２Ｂのいずれについても、リミットスイッチＬＳ1，ＬＳ2の双方と同時に接触する区間を持つことはない。
【００４６】
図８は、リミットスイッチＬＳ1，ＬＳ2が出力するＬＳ1，ＬＳ2検出信号、及び正常動作区間情報出力手段１６が出力するＬＳ2ラッチ信号の各オン・オフ変化を示すタイムチャートである。図４ではＬＳ1ラッチ信号が用いられていたが、図８ではＬＳ2検出信号がオンとなっているのは時刻ｔ１〜ｔ２の短い区間であるため、ＬＳ1ラッチ信号は用いる必要がなく省略されている。但し、ＬＳ2ラッチ信号がオンとなる区間は、図４の場合と同じ長さであり、時刻ｔ１（第１の時点）〜時刻ｔ４（第２の時点）の区間である。
【００４７】
そして、時刻ｔ３にＬＳ1検出信号がオンに立ち上がるが、この時刻ｔ３は正常動作区間Ｔ１内に入っており、リミットスイッチＬＳ1は正常に動作していると判別される。
【００４８】
図７及び図８に係る他の実施形態の動作は、図５のフローチャートとほぼ同様であるため（但し、ステップ８〜１０、ステップ１５，１６は削除される）、説明を省略する。
【図面の簡単な説明】
【００４９】
【図１】本発明の実施形態に係るエレベータの終端階減速制御システムの構成図。
【図２】図１におけるエレベータ制御装置１１の構成を示すブロック図。
【図３】図１における接触板１２とリミットスイッチＬＳ1，ＬＳ2との接触・非接触状態を示す説明図。
【図４】図１におけるリミットスイッチＬＳ1，ＬＳ2が出力するＬＳ1，ＬＳ2検出信号、及びそのラッチ信号のオンオフ変化を示すタイムチャート。
【図５】図１の実施形態の動作を説明するためのフローチャート。
【図６】図５におけるスイッチ異常モード運転後の処理内容を示すフローチャート。
【図７】本発明の他の実施形態の要部構成を示す説明図。
【図８】図７におけるリミットスイッチＬＳ1，ＬＳ2が出力するＬＳ1，ＬＳ2検出信号、及びＬＳ2ラッチ信号のオンオフ変化を示すタイムチャート。
【符号の説明】
【００５０】
１：昇降路
２：巻上機
３：メインロープ
４：乗りかご
５：カウンタウェイト
６：ガバナ
７ガバナロープ
８：ガバナシーブ
９：速度計
１０：速度計
１１：エレベータ制御装置
１２，１２Ａ，１２Ｂ：接触板
１３：側壁
１４：かご速度検出手段
１５：かご位置検出手段
１６：正常動作区間情報出力手段
１７：異常判別手段
１８：速度制御手段
ＬＳ1：リミットスイッチ（第１の乗りかご検出スイッチ）
ＬＳ2：リミットスイッチ（第２の乗りかご検出スイッチ）
ＬＳ3：リミットスイッチ（第２の乗りかご検出スイッチ）
ＬＳ4：リミットスイッチ（第１の乗りかご検出スイッチ）
ＬＳ1a〜ＬＳ4a：アクチュエータ部
【図１】
2008007322.tif 000003
【図２】
2008007322.tif 000004
【図３】
2008007322.tif 000005
【図４】
2008007322.tif 000006
【図５】
2008007322.tif 000007
【図６】
2008007322.tif 000008
【図７】
2008007322.tif 000009
【図８】
2008007322.tif 000010